(57)【特許請求の範囲】
【請求項１】
呼の転送を行う電話網に接続する機能を有するユーザ端末であって、
前記ユーザ端末が所定のエリア内に位置しているか、もしくは所定のエリア外に位置しているかを判定する判定手段と、
前記判定手段により、前記ユーザ端末が前記所定のエリア内から前記所定のエリア外に移動したと判定された場合に、前記電話網に対して転送設定を実施する転送制御手段とを備え、
前記ユーザ端末は、前記転送設定がなされているか否かを示す情報を保持しており、前記判定手段は、当該情報に基づいて前記転送設定がなされていないことを検知し、かつ、前記ユーザ端末が前記所定のエリア外に位置していることを検知した場合に、前記ユーザ端末が前記所定のエリア内から前記所定のエリア外に移動したと判定する
ことを特徴とするユーザ端末。
【請求項２】
前記転送設定は、前記所定のエリア内に設置される端末宛ての着信信号を、前記ユーザ端末に転送するための設定である
ことを特徴とする請求項１に記載のユーザ端末。
【請求項３】
前記判定手段により、前記ユーザ端末が前記所定のエリア外から前記所定のエリア内に移動したと判定された場合に、前記転送制御手段は、前記電話網に対して前記転送設定の解除を実施する
ことを特徴とする請求項１又は２に記載のユーザ端末。
【請求項４】
前記ユーザ端末は、前記所定のエリアにおいて使用される無線ＬＡＮを識別するための特定の識別情報を保持しており、
前記判定手段は、前記ユーザ端末が接続している無線ＬＡＮの識別情報と、前記特定の識別情報とが一致することを検知した場合に、前記ユーザ端末が前記所定のエリア内に位置していると判定する
ことを特徴とする請求項１ないし３のうちいずれか１項に記載のユーザ端末。
【請求項５】
前記電話網から転送に係る着信信号を受信した場合に、当該着信信号に含まれる発信元電話番号と転送元電話番号とを着信履歴として格納し、
前記着信履歴に基づいて、前記転送元電話番号を発信元として有する発信信号を、前記発信元電話番号宛てに送信することにより折り返し発信を実行する手段
を備えることを特徴とする請求項１ないし４のうちいずれか１項に記載のユーザ端末。
【請求項６】
呼の転送を行う電話網に接続する機能を有するユーザ端末が実行する転送制御方法であって、
前記ユーザ端末が所定のエリア内に位置しているか、もしくは所定のエリア外に位置しているかを判定する判定ステップと、
前記判定ステップにより、前記ユーザ端末が前記所定のエリア内から前記所定のエリア外に移動したと判定された場合に、前記電話網に対して転送設定を実施する転送制御ステップとを備え、
前記ユーザ端末は、前記転送設定がなされているか否かを示す情報を保持しており、前記判定ステップにおいて、前記ユーザ端末は、当該情報に基づいて前記転送設定がなされていないことを検知し、かつ、前記ユーザ端末が前記所定のエリア外に位置していることを検知した場合に、前記ユーザ端末が前記所定のエリア内から前記所定のエリア外に移動したと判定する
ことを特徴とする転送制御方法。
【請求項７】
コンピュータを、請求項１ないし５のうちいずれか１項に記載のユーザ端末における各手段として機能させるためのプログラム。
【発明の詳細な説明】
【技術分野】
【０００１】
本発明は、電話網における呼の転送技術に関連し、特に、ユーザ端末から電話網に対して転送設定を行う技術に関連するものである。
【背景技術】
【０００２】
屋内に固定電話機を設置する一般的な固定電話サービスでは、ユーザが外出中でも固定電話機の電話番号に対する着信を受けることができるように、転送機能を有している。
【０００３】
このような転送機能では、例えば、ユーザは所定の電話番号に電話をかけて、電話機操作により、転送先電話番号（携帯電話機の電話番号等）の指定を行う等の処理を実行することで事前に転送設定を行う。転送設定がなされると、固定電話機の電話番号宛ての着信は、転送先電話番号に転送され、ユーザは例えば外出先で携帯電話機により着信を受けることができる。
【先行技術文献】
【特許文献】
【０００４】
【特許文献１】特許第５５２４９０７号
【発明の概要】
【発明が解決しようとする課題】
【０００５】
上述したように、転送設定を行うためにはユーザによる操作が必要である。従って、外出する度に転送設定を行うことはユーザに負担がかかる。また、設定ミスの発生も想定される。
【０００６】
また、外出するときに転送設定をすることを忘れてしまい、外出先で着信できないことも考えられる。更に、ユーザが屋内にいるにも関わらず転送設定が残っていて、ユーザは屋内にいるにも関わらず携帯電話機で通話を行わざるを得ないということも考えられる。この場合、ユーザに対して転送料金と携帯電話料金が無駄にかかってしまう。
【０００７】
本発明は上記の点に鑑みてなされたものであり、電話網に対する転送設定を、転送が必要なときに自動的に行うことを可能とする技術を提供することを目的とする。
【課題を解決するための手段】
【０００８】
本発明の実施の形態によれば、呼の転送を行う電話網に接続する機能を有するユーザ端末であって、
前記ユーザ端末が所定のエリア内に位置しているか、もしくは所定のエリア外に位置しているかを判定する判定手段と、
前記判定手段により、前記ユーザ端末が前記所定のエリア内から前記所定のエリア外に移動したと判定された場合に、前記電話網に対して転送設定を実施する転送制御手段とを備え、
前記ユーザ端末は、前記転送設定がなされているか否かを示す情報を保持しており、前記判定手段は、当該情報に基づいて前記転送設定がなされていないことを検知し、かつ、前記ユーザ端末が前記所定のエリア外に位置していることを検知した場合に、前記ユーザ端末が前記所定のエリア内から前記所定のエリア外に移動したと判定する
ことを特徴とするユーザ端末が提供される。
【０００９】
また、本発明の実施の形態によれば、呼の転送を行う電話網に接続する機能を有するユーザ端末が実行する転送制御方法であって、
前記ユーザ端末が所定のエリア内に位置しているか、もしくは所定のエリア外に位置しているかを判定する判定ステップと、
前記判定ステップにより、前記ユーザ端末が前記所定のエリア内から前記所定のエリア外に移動したと判定された場合に、前記電話網に対して転送設定を実施する転送制御ステップとを備え、
前記ユーザ端末は、前記転送設定がなされているか否かを示す情報を保持しており、前記判定ステップにおいて、前記ユーザ端末は、当該情報に基づいて前記転送設定がなされていないことを検知し、かつ、前記ユーザ端末が前記所定のエリア外に位置していることを検知した場合に、前記ユーザ端末が前記所定のエリア内から前記所定のエリア外に移動したと判定する
ことを特徴とする転送制御方法が提供される。
【発明の効果】
【００１０】
本発明の実施の形態によれば、電話網に対する転送設定を、転送が必要なときに自動的に行うことを可能とする技術が提供される。
【図面の簡単な説明】
【００１１】
【図１】本発明の実施の形態に係るシステム構成図である。
【図２】ユーザ端末１００の構成図である。
【図３】ユーザによる準備手順を説明するための図である。
【図４】ユーザ端末１００が屋内から屋外に移動した場合のシーケンスの例を示す図である。
【図５】ユーザ端末１００が屋外から屋内に移動した場合のシーケンスの例を示す図である。
【図６】変形例におけるシステム構成図である。
【図７】変形例におけるユーザ端末１００の構成図である。
【図８】ユーザ端末１００が屋内から屋外に移動した場合のシーケンスの例を示す図である。
【発明を実施するための形態】
【００１２】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態では、ユーザ端末１００が自動的に屋外／屋内を判定して、転送設定／解除を行うこととしているが、判定する対象は屋外／屋内に限るわけではなく、所定のエリアの内か外かを判定して転送設定／解除を行うことも可能である。すなわち、屋内／屋外の判定は、より一般的には、所定のエリア内／所定のエリア外の判定と言い換えることができる。
【００１３】
（システム構成）
図１に本発明の実施の形態に係るシステム構成を示す。図１に示すように、本実施の形態に係るシステムは、転送元電話網５００と転送先電話網６００を有する。転送元電話網５００は、例えば０ＡＢＪ番号を使用する固定電話網である。本実施の形態では、当該電話網が転送元の電話網になるため、「転送元電話網５００」と称している。転送元電話網５００は、呼接続、呼の転送等の様々な呼制御を行う呼制御システム４００を有する。また、呼制御システム４００は、転送設定を実行する転送設定サーバ４１０を有している。
【００１４】
転送先電話網６００は、例えば、スマートフォン等の携帯端末による通話を可能とするＶｏＩＰ網、携帯電話網等である。本実施の形態では、当該電話網が転送先の電話網になるため、これを「転送先電話網６００」と称している。
【００１５】
転送元電話網５００と転送先電話網６００は相互接続されている。転送元電話網５００と転送先電話網６００からなる電話網は、「呼の転送を行う電話網」の例である。
【００１６】
図１には、転送元電話網５００に接続される発信端末３００及び屋内端末２００が示されている。また、ユーザ端末１００が示されている。図１に示すように、屋内端末２００は、家等の建物の中（屋内）に設置されている。屋内端末２００は、一般的な固定電話機であるが、これに限られない。
【００１７】
ユーザ端末１００は、無線ＬＡＮ機能を備えるとともに、転送先電話網６００に無線（又は有線）で接続して、転送先電話網６００を介して呼の発着信を行うことが可能な一般的なスマートフォンであることを想定している。ただし、ユーザ端末１００としてスマートフォンを使用することは、一例に過ぎず、ユーザ端末１００として、例えばＰＣ、タブレット等を使用することも可能である。
【００１８】
また、ユーザ端末１００は、インターネット経由で転送設定サーバ４１０にアクセスして、転送設定等を実行することが可能である。
【００１９】
本実施の形態では、ユーザは、自分が屋内に位置するときに、屋内端末２００の電話番号に対する着信を屋内端末２００で受け、屋外に位置するときに、屋内端末２００の電話番号に対する着信をユーザ端末１００で受けることができる。このような受信を行うために、本実施の形態におけるユーザ端末１００は、自身が屋内から屋外に出たことを検知すると、転送設定サーバ４１０に対して自動的に転送設定を実施し、自身が屋外から屋内に入ったことを検知すると、転送設定サーバ４１０に対して自動的に転送解除を実施する。
【００２０】
図２に、ユーザ端末１００の構成図を示す。図２に示すように、ユーザ端末１００は、転送制御実行判定部１０１、転送制御実行部１０２、電話機能部１０３、及び無線ＬＡＮ機能部１０４を備える。なお、図２は、ユーザ端末１００において本発明の実施の形態に特に関連する機能部のみを示すものである。また、図２に示す機能構成は一例に過ぎない。本実施の形態に係る動作を実行できるのであれば、機能区分や機能部の名称はどのようなものでもよい。
【００２１】
ユーザ端末１００における転送制御実行判定部１０１は、ユーザ端末１００が屋内に位置するか、それとも屋外に位置するかを判定し、その判定結果に基づいて転送設定サーバ４１０に対する転送設定もしくは転送解除を行うか否かを決定する。
【００２２】
転送制御実行部１０２は、転送制御実行判定部１０１による決定（転送設定実行もしくは転送解除実行）に従って、転送設定サーバ４１０に対する転送設定／転送解除を実行する。
【００２３】
電話機能部１０３は、転送先電話網６００に接続して通話を行うための機能部である。電話機能部１０３は、ユーザ端末１００に予め備えられている携帯電話機能であってもよいし、ＶｏＩＰアプリケーションをユーザ端末１００にインストールすることにより実現される機能部であってもよい。いずれの場合でも、本実施の形態の電話機能部１０３は、３Ｇ／ＬＴＥ／Ｗｉｍａｘ等により、無線基地局と接続し、携帯電話網等を介してインターネットに接続する機能を含んでいる。
【００２４】
無線ＬＡＮ機能部１０４は、無線ＬＡＮにより無線ＬＡＮアクセスポイントに接続し、無線ＬＡＮでの通信を行う機能部である。
【００２５】
本実施の形態に係るユーザ端末１００は、３Ｇ／ＬＴＥ／Ｗｉｍａｘ等の無線アクセス機能及び無線ＬＡＮ機能部１０４を有するコンピュータ（スマートフォン等）に、本実施の形態における転送制御実行部１０２及び転送制御実行判定部１０１の処理内容を含むプログラムを実行させることにより実現可能である。すなわち、ユーザ端末１００が有する機能は、当該コンピュータに内蔵されるＣＰＵやメモリ、ハードディスクなどのハードウェア資源を用いて、転送制御実行部１０２及び転送制御実行判定部１０１で実施される処理に対応するプログラムを実行することによって実現することが可能である。また、上記プログラムは、コンピュータが読み取り可能な記録媒体（可搬メモリ等）に記録して、保存したり、配布したりすることが可能である。また、上記プログラムをインターネットや電子メールなど、ネットワークを通して提供することも可能である。
【００２６】
（屋内／屋外の判定について）
本実施の形態におけるユーザ端末１００の転送制御実行判定部１０１は、無線ＬＡＮ機能を利用して、ユーザ端末１００が屋内に位置しているか、屋外に位置しているかの判定を実施する。具体的には以下のとおりである。
【００２７】
本実施の形態では、屋内端末２００が設置される屋内に、無線ＬＡＮアクセスポイント（無線ＬＡＮルータ等）が設置されている。ユーザ端末１００は、無線ＬＡＮ機能部１０４により、当該無線ＬＡＮアクセスポイントから受信する電波の強度が所定値以上の場合に、自動的に当該無線ＬＡＮに接続する。無線ＬＡＮをアクセス回線として利用することで、例えば、インターネット経由でＷｅｂサービスの利用等を行うことができる。
【００２８】
ユーザ端末１０１が、屋内の無線ＬＡＮに接続している場合、ユーザ端末１０１が屋内に位置している可能性が高い。従って、本実施の形態における転送制御実行判定部１０１は、ユーザ端末１０１が屋内の無線ＬＡＮに接続されている場合に、ユーザ端末１０１が屋内に位置していると判定し、接続されていない場合に、ユーザ端末１０１は屋外に位置していると判定する。ただし、後述するように、屋外の判定については、屋内の無線ＬＡＮに接続されていないこと以外の判定も可能である。
【００２９】
無線ＬＡＮの電波は多数飛び交っているため、転送制御実行判定部１０１は、無線ＬＡＮに接続されている場合に、屋内端末２００が設置されている屋内の無線ＬＡＮに接続しているかどうかを判定する必要がある。本実施の形態では、この判定をＳＳＩＤ（Ｓｅｒｖｉｃｅ  Ｓｅｔ  Ｉｄｅｎｔｉｆｉｅｒ、アクセスポイントの識別名）を用いて行っている。
【００３０】
すなわち、転送制御実行判定部１０１に対して、屋内の無線ＬＡＮのＳＳＩＤを予め登録しておく。そして、無線ＬＡＮ機能部１０４により無線ＬＡＮ接続がなされた場合に、転送制御実行判定部１０１は、無線ＬＡＮ機能部１０４から、接続している無線ＬＡＮのＳＳＩＤを取得し、このＳＳＩＤと登録しているＳＳＩＤとを比較し、これらが一致した場合に、屋内の無線ＬＡＮに接続していると判断する。
【００３１】
無線ＬＡＮ機能部１０４により無線ＬＡＮ接続がなされたが、接続した無線ＬＡＮのＳＳＩＤと登録しているＳＳＩＤとが異なる場合、転送制御実行判定部１０１は、ユーザ端末１００は屋内に位置していないと判断できる。
【００３２】
なお、ＳＳＩＤを使用することは一例に過ぎず、他の情報を用いて屋内の無線ＬＡＮ接続の有無を判定してもよい。一例として、無線ＬＡＮに接続する際に使用するパスワードを用いて判定することとしてもよい。また、ＳＳＩＤとパスワードの両方を用いて判定することとしてもよい。
【００３３】
また、無線ＬＡＮ機能を用いて屋内／屋外の判定を行うことは一例に過ぎず、他の方法で屋外／屋内を判定してもよい。
【００３４】
例えば、ユーザ端末１００がＧＰＳ機能を備えている場合、当該ＧＰＳ機能を使用して屋内／屋外を判定することも可能である。この場合、転送制御実行判定部１０１に予め屋内における所定の位置（中心位置等）と、距離の閾値を登録しておく。そして、転送制御実行判定部１０１は、ＧＰＳ機能により取得されるユーザ端末１００の現在位置と、登録されている所定の位置との距離を算出し、距離が閾値以下であれば屋内に位置すると判断し、距離が閾値よりも大きければ屋外に位置すると判断することができる。
【００３５】
また、ユーザ端末１００が、電話機能部１０１等により有線で転送先電話網１００に接続される場合、ユーザ端末１００の転送制御実行判定部１０１は、電話機能部１０１が有線で転送先電話網１００に接続されたことを検知した場合に、「屋外」であると判断してもよい。
【００３６】
（システムの動作）
次に、上述した構成を備えるシステムの動作について説明する。以下で説明する例では、屋内／屋外の判定を無線ＬＡＮ機能を用いて行うものとする。また、屋内端末２００の電話番号を電話番号Ａとし、ユーザ端末１００の電話番号を電話番号Ｂとする。
【００３７】
更に、以下の例では、ユーザ端末１００における電話機能部１０３が既に備えられており、電話機能部１０３により転送先電話網６００を利用した通話が可能な状態であるとする。すなわち、電話機能部１０３がＶｏＩＰアプリケーションにより実現される場合、当該ＶｏＩＰアプリケーションは既にインストールされ、起動されているものとする。ただし、ＶｏＩＰアプリケーションが、電話機能に加えて、転送制御実行判定部１０１及び転送制御実行部１０２の機能を有することとしてもよく、その場合、下記のステップＳ１０１で、電話機能部１０３、転送制御実行判定部１０１、及び転送制御実行部１０２がユーザ端末１００内に備えられる。
【００３８】
＜ユーザによる準備手順＞
まず、ユーザによる準備手順を図３のフローチャートを参照して説明する。ステップＳ１０１において、ユーザがユーザ端末１００を操作することにより、例えば、サービス事業者により指定されたＷｅｂサイトにアクセスし、当該Ｗｅｂサイトから、転送制御実行判定部１０１及び転送制御実行部１０２の機能を含むアプリケーション（プログラム）をダウンロードし、当該アプリケーションをユーザ端末１００にインストールし、起動する。
【００３９】
ステップＳ１０１が完了すると、ユーザ端末１００上（例：ユーザ端末１００のタッチパネル上）には、転送制御実行判定部１０１により、無線ＬＡＮのＳＳＩＤの入力画面が表示される。ステップＳ１０２において、ユーザは、当該入力画面から、屋内で使用する無線ＬＡＮのＳＳＩＤを入力する。入力されたＳＳＩＤは、ユーザ端末１００におけるメモリ等の記憶手段に格納される。
【００４０】
なお、上記のように手動で入力することのほか、転送制御実行判定部１０１により、電波を捕捉している無線ＬＡＮのＳＳＩＤを画面表示し、ユーザが、屋内の無線ＬＡＮのＳＳＩＤを選択することで、屋内で使用する無線ＬＡＮのＳＳＩＤを記憶手段に格納することとしてもよい。
【００４１】
ユーザ端末１００には、転送制御実行判定部１０１により、転送設定用の情報を入力するための入力画面が表示されており、ステップＳ１０３において、ユーザは、当該入力画面から転送設定用の情報を入力する。ここで入力する情報は、例えば、転送設定／解除のためのアクセス先となる転送設定サーバ４１０のアドレス情報（ＩＰアドレスもしくはＦＱＤＮ）、転送設定サーバ４１０に入るためのＩＤとパスワード、転送元の電話番号Ａ、転送先の電話番号Ｂである。
【００４２】
上記のようにして入力された情報は、ユーザ端末１００の記憶手段に格納され、転送設定／解除の際に利用される。
【００４３】
なお、転送設定サーバ４１０のアドレス情報、パスワード／ＩＤ等を、ステップＳ１０１でダウンロードするアプリケーションに含めることで、ここでの入力をしないこととしてもよい。
【００４４】
＜屋内から屋外への移動の場合の動作＞
次に、図４を参照して、ユーザ端末１００が屋内から屋外に移動する場合におけるシステムの動作を説明する。
【００４５】
図４に示す動作の前提として、最初にユーザ端末１００が屋内に位置し、転送設定がなされておらず、転送制御実行判定部１０１は、転送設定がなされていないという状態を示す情報を保持しているものとする。当該状態を示す情報により、転送制御実行判定部１０１は、転送設定がなされていないことを把握する。
【００４６】
ユーザ端末１００の転送制御実行判定部１０１は、定期的にユーザ端末１００が屋内に位置しているか、屋外に位置しているかを判定する。ユーザ端末１００が屋内の無線ＬＡＮに接続している間、転送制御実行判定部１０１は、ユーザ端末１００が屋内に位置していると判定し、転送設定の処理を実行しない。ここでの判定は、より詳細には、転送制御実行判定部１０１が、「ユーザ端末１００が屋内に位置している」かつ「転送設定がなされていない」ことを検知することで、転送解除の処理を実行しないという判定を含むこととしてもよい。
【００４７】
ステップＳ２０１において、ユーザ端末１００の転送制御実行判定部１０１は、ユーザ端末１００が屋内の無線ＬＡＮに接続していないことを検知する。これにより、転送制御実行判定部１０１は、ユーザ端末１００が屋外に位置していると判定する。「屋内の無線ＬＡＮに接続していない」状態には、無線ＬＡＮに全く接続していない場合に加え、無縁ＬＡＮに接続しているが、当該無線ＬＡＮのＳＳＩＤが屋内の無線ＬＡＮのＳＳＩＤとは異なる場合を含む。
【００４８】
屋内の無線ＬＡＮに接続していないことを検知し（屋外であることを検知し）、かつ、現時点で転送設定がなされていないことを把握した転送制御実行判定部１０１は、転送設定サーバ４１０に対して転送設定を実行することを決定し、転送設定の実行を転送制御実行部１０２に指示する。
【００４９】
また、転送制御実行判定部１０１は、「３Ｇ／ＬＴＥ／Ｗｉｍａｘ等の無線アクセス回線に接続している、又は、屋内の無線ＬＡＮ以外の無線ＬＡＮに接続している」ことを「屋外」の判定条件とし、この条件により「屋外」と判定し、かつ、「現時点で転送設定がなされていない」場合に、転送設定を実行することを決定し、転送設定の実行を転送制御実行部１０２に指示することとしてもよい。また、ユーザ端末１００の機能により、「３Ｇ／ＬＴＥ／Ｗｉｍａｘ等の無線アクセス回線に接続している、又は、屋内の無線ＬＡＮ以外の無線ＬＡＮに接続している」ことと、「屋内の無線ＬＡＮに接続する」こととが同時に発生し得る場合には、上記の「屋外」の条件に、「屋内の無線ＬＡＮに接続されていないこと」を加えた条件を「屋外」の条件としてもよい。
【００５０】
上記の例に関して、「３Ｇ／ＬＴＥ／Ｗｉｍａｘ等の無線アクセス回線に接続している、又は、屋内の無線ＬＡＮ以外の無線ＬＡＮに接続している」状態となることで、ユーザ端末１００は、無線アクセス回線等を経由してインターネットに接続し、転送設定サーバ４１０に接続することができる。
【００５１】
ただし、この条件を使用せずに、「屋内の無線ＬＡＮに接続されていないこと」でもって転送設定の実行を決定することも可能であり、その場合、転送制御実行部１０２は、「３Ｇ／ＬＴＥ／Ｗｉｍａｘ等の無線アクセス回線に接続する、又は、屋内の無線ＬＡＮ以外の無線ＬＡＮに接続する」という状態になれば転送設定を実行し、この状態にならなければ、転送設定を実行しない、という動作を行う。
【００５２】
ステップＳ２０２の時点で、ユーザ端末１００は、３Ｇ／ＬＴＥ／Ｗｉｍａｘ等の無線アクセス回線に接続している、もしくは、屋内の無線ＬＡＮ以外の無線ＬＡＮに接続しており、そのため、ユーザ端末１００はインターネットに接続できるものとする。
【００５３】
ステップＳ２０２において、ユーザ端末１００の転送制御実行部１０２は、インターネット経由で、転送設定サーバ４１０にＩＤ／パスワードを用いてアクセスし、転送設定情報（転送元：電話番号Ａ、転送先：電話番号Ｂ）を転送設定サーバ４１０に送信することにより、転送設定を実施する。なお、ここでの転送設定情報は一例に過ぎず、より細かな設定情報（転送時間帯、無応答時転送、話中時転送等）を含めてもよい。
【００５４】
ステップＳ２０３では、転送設定サーバ４１０の機能により呼制御システム４００において、電話番号Ａ（屋内端末２００）宛ての着信信号は、電話番号Ｂ（ユーザ端末１００）に転送するという転送設定がなされる。転送設定がなされると、転送制御実行判定部１０１は、転送設定がなされていることを示す状態情報を記憶手段に格納する。
【００５５】
その後、発信端末３００から、電話番号Ａ（屋内端末２００）を宛先とする発信がされる。ステップＳ２０４において、当該発信にかかる着信信号は、呼制御システム４００に送られる。
【００５６】
仮に転送設定がされていないものとすると、図４の点線で示すように、当該着信信号は屋内端末２００に届くが、本例では、上記の転送設定がなされているので、ステップＳ２０５において転送処理がなされ、当該着信信号は、電話番号Ｂ（ユーザ端末１００）に向けて転送される。これにより、着信信号は、転送先電話網６００に転送され（ステップＳ２０６）、転送先電話網６００からユーザ端末１００に送信される（ステップＳ２０７）。ユーザ端末１００は、発信端末３００から発信された電話番号Ａ（屋内端末２００）宛ての着信信号を受信することができ、発信端末３００との間で通話を行うことができる。
【００５７】
＜屋外から屋内への移動の場合の動作＞
次に、図５を参照して、ユーザ端末１００が屋外から屋内に移動する場合におけるシステムの動作を説明する。
【００５８】
図５に示す動作の前提として、最初にユーザ端末１００が屋外に位置し、転送設定サーバ４１０に対して転送設定がなされており、転送制御実行判定部１０１は、転送設定がなされているという状態を示す情報を保持している。当該状態を示す情報により、転送制御実行判定部１０１は、転送設定がなされていることを把握する。
【００５９】
前述したとおり、ユーザ端末１００の転送制御実行判定部１０１は、定期的にユーザ端末１００が屋内に位置しているか、屋外に位置しているかを判定している。ユーザ端末１００が屋内の無線ＬＡＮに接続していない間、転送制御実行判定部１０１は、ユーザ端末１００が屋外に位置している（あるいは、屋内に位置していない）と判定し、転送解除の処理を実行しない。
【００６０】
ステップＳ３０１において、転送制御実行判定部１０１は、ユーザ端末１００が、屋内の無線ＬＡＮに接続していることを検知したことで、ユーザ端末１００が屋内に位置していると判定する。「屋内の無線ＬＡＮに接続している」とは、無線ＬＡＮに接続し、かつ、当該無線ＬＡＮのＳＳＩＤが、予め設定しておいたＳＳＩＤと一致することである。
【００６１】
屋内の無線ＬＡＮに接続していることを検知し、かつ、現時点で転送設定がなされていることを把握した転送制御実行判定部１０１は、転送解除を実行することを決定し、転送解除の実行を転送制御実行部１０２に指示する。
【００６２】
ステップＳ３０２において、ユーザ端末１００の転送制御実行部１０２は、インターネット経由で、転送設定サーバ４１０にＩＤ／パスワードを用いてアクセスし、転送解除情報を転送設定サーバ４１０に送信することにより、転送解除を実施する。転送解除情報には、「転送元：電話番号Ａ、転送先：電話番号Ｂ」として設定されている転送設定を解除することを指示する情報が含まれる。なお、"「転送元：電話番号Ａ、転送先：電話番号Ｂ」として設定されている転送設定"を指定する情報は、この設定を識別するＩＤでもよいし、「転送元：電話番号Ａ、転送先：電話番号Ｂ」を含む情報であってもよい。
【００６３】
ステップＳ３０３において、呼制御システム４００は、電話番号Ａ（屋内端末２００）宛ての着信信号を、電話番号Ｂ（ユーザ端末１００）に転送するという転送設定を解除する。また、ユーザ端末１００の転送制御実行判定部１０１は、転送設定がなされていない旨の情報を保持する。
【００６４】
その後、発信端末３００から、電話番号Ａ（屋内端末２００）を宛先とする発信がされる。ステップＳ３０４において、当該発信にかかる着信信号は、呼制御システム４００に送られる。この時点で転送設定は解除されているので、ステップＳ３０５において、当該着信信号は屋内端末２００に届く。これにより、ユーザは、発信端末３００から発信された電話番号Ａ（屋内端末２００）宛ての着信を屋内端末２００にて受けることができる。
【００６５】
＜屋内／屋外の判定の契機について＞
上記の例では、転送制御実行判定部１０１は定期的に屋内／屋外の判定を行うこととしているが、転送制御実行判定部１０１は、定期的ではなく、所定の契機を検知した場合に、屋内／屋外の判定を行うこととしてもよい。所定の契機は、例えば、ユーザ端末１００が、無線ＬＡＮに接続している状態から、３Ｇ／ＬＴＥにより携帯電話網（ここでは転送先電話網６００）に接続した状態になることである。また、逆に、ユーザ端末１００が、３Ｇ／ＬＴＥにより携帯電話網に接続している状態から、無線ＬＡＮに接続した状態になることも所定の契機となる。
【００６６】
また、上記の例では、転送制御実行判定部１０１は、転送設定がなされているか否かを示す情報を管理することで、定期的に実行される屋内／屋外の判定により転送設定／解除の実行が繰り返し行われることを回避しているが、転送設定がなされているか否かを示す情報を管理しない方法を採用することも可能である。この場合、定期的に実施する屋内／屋外の判定の中で、ある時点で実施する屋内／屋外の判定結果が、その直前に実施した判定結果と同じであれば転送設定／解除を行わず、直前に実施した判定結果と異なる場合に、当該時点での判定結果に基づく転送設定／解除の実行を決定する。
【００６７】
例えば、最初の判定で屋内と判定され、次の判定で屋外と判定された場合に、ユーザ端末１００が屋内から屋外に移動したと判定し、転送設定の処理を実施し、その次の判定で屋外と判定された場合は、転送設定／解除の処理を実施しない。
【００６８】
なお、転送設定がなされているか否かを示す情報を管理する場合において、転送設定がなされていない状態で、屋外と判定することは、ユーザ端末１００が屋内から屋外に移動したと判定する場合の例である。
【００６９】
また、例えば、最初の判定で屋外と判定され、次の判定で屋内と判定された場合に、ユーザ端末１００が屋外から屋内に移動したと判定し、転送解除の処理を実施し、その次の判定で屋内と判定された場合は、転送解除／設定の処理を実施しない。
【００７０】
なお、転送設定がなされているか否かを示す情報を管理する場合において、転送設定がなされている状態で、屋内と判定することは、ユーザ端末１００が屋外から屋内に移動したと判定する場合の例である。
【００７１】
（変形例）
図１に示したシステムでは、転送元電話網５００と転送先電話網６００が別々のサービス事業者（例：固定電話事業者と携帯電話事業者）であることを想定しているが、ある電話番号から別の電話番号への転送を行うサービスは、このような複数事業者間に限らず、１つのサービス事業者内あるいは企業網内においても提供することが可能である。
【００７２】
一例として、内線電話番号（外線電話番号）宛ての呼を、外線電話番号（内線電話番号）に転送するサービスが想定できる。本発明に係る技術はこのような１サービス事業者内（あるいは企業網内）で提供される転送サービスにも適用可能である。以下、１サービス事業者内で実施されることが想定される転送サービスに対して本発明の係る技術を適用する例を変形例として説明する。以下では、これまでに説明した例と異なる部分を中心に説明する。また、これまでに説明した例を便宜上、基本例と呼ぶ。
【００７３】
＜システム構成＞
図６は、変形例におけるシステム構成図である。図６に示すように、変形例に係るシステムは、電話網８００を有する。電話網８００は、呼制御システム７００を含み、当該呼制御システム７００により、呼接続、呼の転送等の様々な呼制御を行う。変形例では、呼制御のプロトコルとしてＳＩＰを用いるが、これは例であり、ＳＩＰ以外のプロトコルを使用してもよい。また、呼制御システム７００は、転送設定を実行するための転送設定サーバ７１０を含む。基本例と同様にして、ユーザ端末１００は、インターネット経由で転送設定サーバ７１０にアクセスし、転送設定／解除等を行うことが可能である。
【００７４】
変形例における呼制御システム７００は、呼の転送時に、着信信号に、発信元の電話番号と転送元の電話番号（発信元から発信された時点での宛先の電話番号）を含め、これらの電話番号を含む着信信号を転送先の端末に送信することが可能である。
【００７５】
また、ユーザ端末１００は、転送された着信を受けた場合に、発信元の電話番号及び転送元の電話番号を着信履歴として表示し、ユーザによる発信ボタン操作等により、転送元の電話番号を発信元とする、発信元への折り返し発信を行うことが可能である。
【００７６】
図７に、変形例におけるユーザ端末１００の構成図を示す。図７に示すように、変形例のユーザ端末１００は、着信履歴処理部１０５を有する点が基本例におけるユーザ端末１００と異なる。着信履歴処理部１０５以外の機能部については、基本例と同様である。着信履歴処理部１０５は、例えば、転送制御実行判定部１０１と転送制御実行部１０２に対応するアプリケーション（プログラム）に対する追加機能として加えられてもよいし、着信履歴処理部１０５が単独のアプリケーション（プログラム）として提供されてもよいし、ＶｏＩＰアプリケーションの一部として着信履歴処理部１０５の機能が提供されてもよい。
【００７７】
＜屋内から屋外への移動の場合の動作＞
次に、図８を参照して、ユーザ端末１００が屋内から屋外に移動する場合における変形例に係るシステムの動作を説明する。以下では、発信端末３００の電話番号を電話番号Ｃとする。また、ユーザ端末１００の電話機能部１０３は、自分の電話番号Ｂではない電話番号である電話番号Ａを発信元とする発信が可能なように設定がされている。一例として、電話機能部１０３に、呼制御システム７００を使用するためアカウント情報として、電話番号Ａのアカウント情報を設定しておく。これ以外の動作の前提、屋内／屋外の判定、転送設定の実施判定、転送設定の実施内容については基本例と同じである。
【００７８】
ステップＳ４０１において、転送制御実行判定部１０１は、ユーザ端末１００が屋外に位置していると判定し、ステップＳ４０２において、転送制御実行部１０２が、転送設定情報を転送設定サーバ７１０に送信することで転送設定を実施する。ステップＳ４０３において、呼制御システム７００で転送設定がなされる。
【００７９】
その後、発信端末３００から、電話番号Ａ（屋内端末２００）を宛先とする発信がされる。ステップＳ４０４において、当該発信にかかる着信信号（発信元の電話番号＝電話番号Ｃ）は、呼制御システム７００に送られる。
【００８０】
ステップＳ４０５において、転送処理がなされ、当該着信信号は、電話番号Ｂ（ユーザ端末１００）に向けて転送される。着信信号は、ユーザ端末１００に届く（ステップＳ４０６）。これにより、ユーザ端末１００は、発信端末３００から発信された電話番号Ａ（屋内端末２００）宛ての着信信号を受信することができ、発信端末３００との間で通話を行うことができる。
【００８１】
本変形例では、ステップＳ４０６において、ユーザ端末１００の電話機能部１０３が転送された着信信号を受信する。この着信信号は、具体的にはＩＮＶＩＴＥメッセージである。例えば、当該ＩＮＶＩＴＥメッセージのＦｒｏｍヘッダには、発信元の電話番号Ｃが含まれ、ｒｏｕｔｅヘッダ、ｖｉａヘッダ等には、転送元の（元の宛先の）電話番号Ａが含まれている。
【００８２】
着信時に、着信履歴処理部１０５は、電話機能部１０３から着信信号（ＩＮＶＩＴＥメッセージ）を取得し、転送経路に関する所定のヘッダ（例：ｒｏｕｔｅヘッダ、ｖｉａヘッダ）に電話番号が含まれている場合に、当該着信信号は転送されてきた信号であると判断し、当該所定のヘッダに含まれる電話番号（本例では電話番号Ａ）を転送元の電話番号として取得する。また、着信履歴処理部１０５は、発信元の電話番号（本例では電話番号Ｃ）を取得し、これらの電話番号Ａと電話番号Ｃを含む着信履歴を記憶手段に格納する。ここでは、電話番号Ａは、転送元の電話番号として格納され、電話番号Ｃは発信元の電話番号として格納される。
【００８３】
その後、ユーザは、ユーザ端末１００から発信端末３００に対する折り返し発信を行うものとする。ここでは、例えば、ユーザによるユーザ端末１００に対する操作に基づき、着信履歴処理部１０５が、上記の着信時に格納した着信履歴を読み出し、着信履歴をディスプレイ（タッチパネル等）に表示する。このときに表示される画面には、上記の着信履歴の情報として、発信元の電話番号としての電話番号Ｃが表示され、転送元の電話番号としての電話番号Ａが表示される。
【００８４】
ユーザは、例えば、発信元の電話番号Ｃを指定して、折り返し発信を指示する。この指示に基づいて、着信履歴処理部１０５は、転送元の電話番号である電話番号Ａを発信元とした、電話番号Ｃ宛ての発信を行うように電話機能部１０３に指示する。
【００８５】
そして、図８のステップＳ４０７において、電話機能部１０３は、電話番号Ｃ宛ての発信を行う。ここで送出される発信信号（ＩＮＶＩＴＥメッセージ）における発信元を示すヘッダ（例：Ｆｒｏｍヘッダ）には、電話番号Ａが記述されている。発信信号は、呼制御システム７００を経由して、発信端末３００に送信される（ステップＳ４０８）。発信端末３００には、例えば、発信元の電話番号として電話番号Ａが表示される。これにより、発信端末３００のユーザは、ステップＳ４０４で発信した宛先から折り返しの電話がかかってきたと認識する。このように、変形例においては、転送設定がされている場合でも、転送呼を発信した発信元に対して、転送元の電話番号を発信元とする折り返し発信を行うことができる。
【００８６】
なお、転送呼の折り返し発信の場合でも、設定により、ユーザ端末１００は、電話番号Ｂを発信元とする発信を行うことも可能である。また、電話番号Ａを発信元として発信を行った場合、ユーザ端末１００は、発信履歴における発信元電話番号として電話番号Ａを記録する。
【００８７】
（実施の形態のまとめ）
以上、説明したように、本実施の形態によれば、呼の転送を行う電話網に接続する機能を有するユーザ端末であって、前記ユーザ端末が所定のエリア内に位置しているか、もしくは所定のエリア外に位置しているかを判定する判定手段と、前記判定手段により、前記ユーザ端末が前記所定のエリア内から前記所定のエリア外に移動したと判定された場合に、前記電話網に対して転送設定を実施する転送制御手段とを備えるユーザ端末が提供される。
【００８８】
前記転送設定は、例えば、前記所定のエリア内に設置される端末宛ての着信信号を、前記ユーザ端末に転送するための設定である。
【００８９】
前記判定手段により、前記ユーザ端末が前記所定のエリア外から前記所定のエリア内に移動したと判定された場合に、前記転送制御手段は、前記電話網に対して前記転送設定の解除を実施することとしてもよい。
【００９０】
前記ユーザ端末は、例えば、前記所定のエリアにおいて使用される無線ＬＡＮを識別するための特定の識別情報を保持しており、前記判定手段は、前記ユーザ端末が接続している無線ＬＡＮの識別情報と、前記特定の識別情報とが一致することを検知した場合に、前記ユーザ端末が前記所定のエリア内に位置していると判定することとしてもよい。
【００９１】
前記判定手段は、前記ユーザ端末が所定のエリア内に位置しているか、もしくは所定のエリア外に位置しているかの判定を定期的に実行し、ある時点での判定結果が前記所定のエリア外であり、直前の判定結果が前記所定のエリア内である場合に、当該時点において前記ユーザ端末が前記所定のエリア内から前記所定のエリア外に移動したと判定することとしてもよい。
【００９２】
前記ユーザ端末は、前記転送設定がなされているか否かを示す情報を保持しており、前記判定手段は、当該情報に基づいて前記転送設定がなされていないことを検知し、かつ、前記ユーザ端末が前記所定のエリア外に位置していることを検知した場合に、前記ユーザ端末が前記所定のエリア内から前記所定のエリア外に移動したと判定することとしてもよい。
【００９３】
また、前記ユーザ端末は、前記電話網から転送に係る着信信号を受信した場合に、当該着信信号に含まれる発信元電話番号と転送元電話番号とを着信履歴として格納し、前記着信履歴に基づいて、前記転送元電話番号を発信元として有する発信信号を、前記発信元電話番号宛てに送信することにより折り返し発信を実行する手段を備えることとしてもよい。
【００９４】
本実施の形態によれば、電話網に対する転送設定を、転送が必要なときに自動的に行うことが可能となる。これにより、ユーザは、外出の都度、転送設定を行うことなく、外出先で転送に係る呼の着信を受けることができる。また、ユーザが屋内にいる場合には、屋内端末宛ての着信を屋内端末で受信することができる。
【００９５】
（第１項）
呼の転送を行う電話網に接続する機能を有するユーザ端末であって、
前記ユーザ端末が所定のエリア内に位置しているか、もしくは所定のエリア外に位置しているかを判定する判定手段と、
前記判定手段により、前記ユーザ端末が前記所定のエリア内から前記所定のエリア外に移動したと判定された場合に、前記電話網に対して転送設定を実施する転送制御手段と
を備えることを特徴とするユーザ端末。
（第２項）
前記転送設定は、前記所定のエリア内に設置される端末宛ての着信信号を、前記ユーザ端末に転送するための設定である
ことを特徴とする第１項に記載のユーザ端末。
（第３項）
前記判定手段により、前記ユーザ端末が前記所定のエリア外から前記所定のエリア内に移動したと判定された場合に、前記転送制御手段は、前記電話網に対して前記転送設定の解除を実施する
ことを特徴とする第１項又は第２項に記載のユーザ端末。
（第４項）
前記ユーザ端末は、前記所定のエリアにおいて使用される無線ＬＡＮを識別するための特定の識別情報を保持しており、
前記判定手段は、前記ユーザ端末が接続している無線ＬＡＮの識別情報と、前記特定の識別情報とが一致することを検知した場合に、前記ユーザ端末が前記所定のエリア内に位置していると判定する
ことを特徴とする第１項ないし第３項のうちいずれか１項に記載のユーザ端末。
（第５項）
前記判定手段は、前記ユーザ端末が所定のエリア内に位置しているか、もしくは所定のエリア外に位置しているかの判定を定期的に実行し、ある時点での判定結果が前記所定のエリア外であり、直前の判定結果が前記所定のエリア内である場合に、当該時点において前記ユーザ端末が前記所定のエリア内から前記所定のエリア外に移動したと判定する
ことを特徴とする第１項ないし第４項のうちいずれか１項に記載のユーザ端末。
（第６項）
前記ユーザ端末は、前記転送設定がなされているか否かを示す情報を保持しており、前記判定手段は、当該情報に基づいて前記転送設定がなされていないことを検知し、かつ、前記ユーザ端末が前記所定のエリア外に位置していることを検知した場合に、前記ユーザ端末が前記所定のエリア内から前記所定のエリア外に移動したと判定する
ことを特徴とする第１項ないし第４項のうちいずれか１項に記載のユーザ端末。
（第７項）
前記電話網から転送に係る着信信号を受信した場合に、当該着信信号に含まれる発信元電話番号と転送元電話番号とを着信履歴として格納し、
前記着信履歴に基づいて、前記転送元電話番号を発信元として有する発信信号を、前記発信元電話番号宛てに送信することにより折り返し発信を実行する手段
を備えることを特徴とする第１項ないし第６項のうちいずれか１項に記載のユーザ端末。
（第８項）
呼の転送を行う電話網に接続する機能を有するユーザ端末が実行する転送制御方法であって、
前記ユーザ端末が所定のエリア内に位置しているか、もしくは所定のエリア外に位置しているかを判定する判定ステップと、
前記判定ステップにより、前記ユーザ端末が前記所定のエリア内から前記所定のエリア外に移動したと判定された場合に、前記電話網に対して転送設定を実施する転送制御ステップと
を備えることを特徴とする転送制御方法。
（第９項）
コンピュータを、第１項ないし第７項のうちいずれか１項に記載のユーザ端末における各手段として機能させるためのプログラム。
本発明は、上記の実施の形態に限定されることなく、特許請求の範囲内において、種々変更・応用が可能である。
【符号の説明】
【００９６】
１００  ユーザ端末
２００  屋内端末
３００  発信端末
４００、７００  呼制御システム
４１０、７１０  転送設定サーバ
５００  転送元電話網
６００  転送先電話網
８００  電話網
１０１  転送制御実行判定部
１０２  転送制御実行部
１０３  電話機能部
１０４  無線ＬＡＮ機能部
１０５  着信履歴処理部
【図１】
0006512972.tif 000002
【図２】
0006512972.tif 000003
【図３】
0006512972.tif 000004
【図４】
0006512972.tif 000005
【図５】
0006512972.tif 000006
【図６】
0006512972.tif 000007
【図７】
0006512972.tif 000008
【図８】
0006512972.tif 000009